(57)【要約】【課題】連続鋳造機のロール間隔を測定するために、ダミーバー上に、ロール間隔を検出するロール間隔センサと、必要な電力を供給するための電源箱とを備えたロール間隔測定装置において、電源箱に起因するトラブルを適切に防止して、安定稼動を実現することができる連続鋳造機のロール間隔測定装置を提供する。【解決手段】電源箱１３の内部の空隙が特殊ウレタン２１で満たされているとともに、電源箱１３側のコネクタ（金属ピン）１５を自動清掃するためのエアパージ装置２２を地上側に備えている。【選択図】図１
2010051970.tif 000002
【特許請求の範囲】
【請求項１】
連続鋳造機のロール間隔を測定するために、ダミーバー上に、ロール間隔を検出するロール間隔センサと、必要な電力を供給するための電源箱とを備えた連続鋳造機のロール間隔測定装置において、前記電源箱の内部の空隙が軟質ウレタンで満たされていることを特徴とする連続鋳造機のロール間隔測定装置。
【請求項２】
前記電源箱を外部と電気的に接続するためのコネクタの表面を自動清掃するための自動清掃装置を備えていることを特徴とする請求項１に記載の連続鋳造機のロール間隔測定装置。
【発明の詳細な説明】
【技術分野】
【０００１】
本発明は、連続鋳造機のロール間隔測定装置に関するものである。
【背景技術】
【０００２】
溶融金属より直接、スラブ、ブルーム、ビレット等の目的中間製品を製造する連続鋳造機では、多数配列されている各ロールの間隙（間隔）を厳密に維持管理することにより、製品の品質管理を実施している。そのため、各ロールの間隔を機械的変位として取り出し、電気信号に変換して伝送するロール間隔測定装置を設置し、測定することが一般的に行われている。その際、ロール間隙を測定する装置は、ほとんどの場合、ダミーバーに取り付けられ、ダミーバーと同体となって連続鋳造機内を通過し、ロール間隙を測定するようになっている（例えば、特許文献１参照）。
【０００３】
そのような従来のロール間隔測定装置の一例の構成を図２に示す。
【０００４】
連鋳ロール間に挿入されるダミーバー１０上には、測定アーム１１ａの開閉量によってロール間隔を検出するロール間隔センサ１１と、そのロール間隔センサ１１の出力を伝送に適したレベルに増幅して記憶するロール間隔測定信号メモリ１２と、そのロール間隔測定信号メモリ１２等に必要な電力を供給するための蓄電池１４が内蔵された電源箱１３と、その電源箱１３を外部（ここでは地上側）と電気的に接続するための接触式コネクタ（金属ピン）１５とが備えられている。
【０００５】
一方、地上側には、電源箱１３側の接触式コネクタ１５と必要時に着脱される接触式コネクタ（金属ピン）１６と、電源箱１３に内蔵された蓄電池１４を充電するための充電器１７と、コネクタ１５とコネクタ１６との着脱を制御する制御盤１８と、ロール間隔測定信号メモリ１２からの信号を演算処理するための演算処理装置（パソコン）１９とが備えられている。
【０００６】
そして、電源箱１３側のコネクタ１５と充電器１７側のコネクタ１６を接続させることによって、充電器１７から電源箱１３（蓄電池１４）への電力の供給が可能になるとともに、ロール間隔測定信号メモリ１２から電源箱１３と充電器１７を経由して演算処理装置１９へのロール間隔測定信号の伝送が可能になる。
【特許文献１】特開２００１−２６９７５６号公報
【発明の開示】
【発明が解決しようとする課題】
【０００７】
上記のようなロール間隔測定装置においては、連続鋳造機のロール間隙を測定する際に、ダミーバー１０上に設置されている電源箱１３が大量の冷却水（例えば、水量４８０００ｔｏｎ／ｍｉｎ、水圧２０ＭＰａ）の中を通過する。
【０００８】
そこで、電源箱１３内への冷却水の浸入を防止するために、ゴムパッキンやシリコンコーティングによる防水処置がとられているが、ゴムパッキンの劣化やシリコンコーティングの剥落により、電源箱１３内に冷却水が浸入し、それが原因で絶縁不良による各種トラブル（例えば、通信トラブル）が発生することがある。また、電源箱１３側のコネクタ（金属ピン）１５の表面に水分が付着し、その水分が自然乾燥する間にその水分によって周辺環境の粉塵が付着して、コネクタ（金属ピン）１５の表面が汚れ、それが原因で接続不良による各種トラブル（例えば、通信トラブル）が発生することもある。
【０００９】
その結果、ロール間隔測定装置の稼働率は１００％を要求されているにもかかわらず、安定して稼動することが難しくなっている。
【００１０】
本発明は、上記のような事情に鑑みてなされたものであり、連続鋳造機のロール間隔を測定するために、ダミーバー上に、ロール間隔を検出するロール間隔センサと、必要な電力を供給するための電源箱とを備えたロール間隔測定装置において、電源箱に起因するトラブルを適切に防止して、安定稼動を実現することができる連続鋳造機のロール間隔測定装置を提供することを目的とするものである。
【課題を解決するための手段】
【００１１】
前記課題を解決するために、電源箱内への冷却水の浸入防止対策として、電源箱のパッキンの強化が考えられるが、いかなる強固なパッキンを施しても連続鋳造機のロール間の厳しい環境下（例えば、水量４８０００ｔｏｎ／ｍｉｎ、水圧２０ＭＰａ）では限界がある。溶接等で完全に密閉すれば浸水は避けられるが、電源箱内を点検することが困難になり、保守性に欠ける。また、電源箱内への乾燥剤（シリカゲル等）の挿入等が考えられるが、多少の水分は吸収できるかもしれないが、電源箱内の全ても水分を吸収することはできない。したがって、電源箱内部の乾燥状態を保つには限界があることがわかる。
【００１２】
このことから、本発明者らは、電源箱内部の乾燥状態を保つ考え方を改め、発想を転換し、電源箱内部の空隙を適切な材料で充満させることで、水分が浸入する隙間そのものを無くすことを考えた。
【００１３】
空隙に充満させる材料（充填材）の候補としては、まず、電気を通さない絶縁物でなければならない。その絶縁物の中で、シリコン、エポキシ、軟質ウレタン等が挙がられる。しかし、シリコンは乾燥後、収縮し隙間が生じる。また、エポキシは乾燥後に凝固するため、電源箱の開放点検が困難になり、保守性に欠ける。これに対して、軟質ウレタンは前述のような欠点がなく、寒天状にゲル化するため、電源箱の開放点検や定期的な部品交換も容易にできる。
【００１４】
そして、電源箱側のコネクタを自動清掃するための自動清掃装置（例えば、エアバージ装置）を設置しておけば、ダミーバーの待機中に自動清掃装置で電源箱側のコネクタを清掃することで、電源箱側のコネクタに付着した水滴の自然乾燥中に周辺環境の粉塵が付着して電源箱側のコネクタが汚れるのを防止することができる。
【００１５】
上記の考え方に基づいて、本発明は以下の特徴を有している。
【００１６】
［１］連続鋳造機のロール間隔を測定するために、ダミーバー上に、ロール間隔を検出するロール間隔センサと、必要な電力を供給するための電源箱とを備えた連続鋳造機のロール間隔測定装置において、前記電源箱の内部の空隙が軟質ウレタンで満たされていることを特徴とする連続鋳造機のロール間隔測定装置。
【００１７】
［２］前記電源箱を外部と電気的に接続するためのコネクタの表面を自動清掃するための自動清掃装置を備えていることを特徴とする前記［１］に記載の連続鋳造機のロール間隔測定装置。
【発明の効果】
【００１８】
本発明の連続鋳造機のロール間隔測定装置においては、電源箱に起因するトラブルが適切に防止されて、安定稼動を実現することができる。
【発明を実施するための最良の形態】
【００１９】
本発明の一実施形態を図面に基づいて説明する。
【００２０】
図１に、本発明の一実施形態に係る連続鋳造機のロール間隔測定装置を示すが、基本的な構成は図２に示したものと同様である。
【００２１】
すなわち、連鋳ロール間に挿入されるダミーバー１０上には、測定アーム１１ａの開閉量によってロール間隔を検出するロール間隔センサ１１と、そのロール間隔センサ１１の出力を伝送に適したレベルに増幅して記憶するロール間隔測定信号メモリ１２と、そのロール間隔測定信号メモリ１２等に必要な電力を供給するための蓄電池１４が内蔵された電源箱１３と、その電源箱１３を外部（ここでは地上側）と電気的に接続するための接触式コネクタ（金属ピン）１５とが備えられている。
【００２２】
一方、地上側には、電源箱１３側の接触式コネクタ１５と必要時に着脱される接触式コネクタ（金属ピン）１６と、電源箱１３に内蔵された蓄電池１４を充電するための充電器１７と、コネクタ１５とコネクタ１６との着脱を制御する制御盤１８と、ロール間隔測定信号メモリ１２からの信号を演算処理するための演算処理装置（パソコン）１９とが備えられている。
【００２３】
そして、電源箱１３側のコネクタ１５と充電器１７側のコネクタ１６を接続させることによって、充電器１７から電源箱１３（蓄電池１４）への電力の供給が可能になるとともに、ロール間隔測定信号メモリ１２から電源箱１３と充電器１７を経由して演算処理装置１９へのロール間隔測定信号の伝送が可能になる。
【００２４】
その上で、この実施形態においては、図１に示すように、電源箱１３の内部の空隙が軟質ウレタン２１で満たされている。ここで、前記軟質ウレタンとしては、絶縁・防水性に富んだ常温硬化型のポリウレタン樹脂等を用いることができる。具体的には、例えば、アイ・ティー・ダブリュー・インダストリー株式会社製のDevcon SUが好適に用いられる。このような軟質ウレタンは液状であるが、２〜４時間経過すると粘着性に富んだ寒天状に変化する。硬化後は電気絶縁性に優れた耐水性のある軟質の固形物となる。これにより、電源箱１３内部に冷却水が浸入する隙間が無くなり、電源箱１３内への浸水が的確に防止される。その結果、電源箱１３内への冷却水の浸入が原因で発生していた各種トラブル（例えば、通信トラブル）が抑止される。
【００２５】
さらに、この実施形態においては、図１に示すように、電源箱１３側のコネクタ（金属ピン）１５を自動清掃するための、例えば空気や窒素ガス等のガスをパージするためのパージ装置２２を地上側に備えている。これにより、ダミーバー１０の待機中に前記パージ装置２２で電源箱１３側のコネクタ（金属ピン）１５を清掃することで、電源箱１３側のコネクタ（金属ピン）１５に付着した水滴の自然乾燥中に周辺環境の粉塵が付着して電源箱１３側のコネクタ（金属ピン）１５が汚れるのを防止することができる。その結果、電源箱１３側のコネクタ（金属ピン）１５の汚れが原因で発生していた各種トラブル（例えば、通信トラブル）が抑止される。
【００２６】
このようにして、この実施形態においては、電源箱１３に起因するトラブルが適切に防止されて、安定稼動を実現することができる。
【００２７】
なお、ここでは、電源箱１３側のコネクタ１５と充電器１７側のコネクタ１６は接触式のコネクタであったが、非接触式のコネクタ（例えば、誘導コイル式のコネクタ）であってもよい。
【図面の簡単な説明】
【００２８】
【図１】本発明の一実施形態に係る連続鋳造機のロール間隔測定装置を示す図である。
【図２】従来の連続鋳造機のロール間隔測定装置を示す図である。
【符号の説明】
【００２９】
１０  ダミーバー
１１  ロール間隔測定センサ
１１ａ  測定アーム
１２  ロール間隔測定信号メモリ
１３  電源箱
１４  蓄電池
１５  電源箱側コネクタ
１６  充電器側コネクタ
１７  充電器
１８  制御盤
１９  演算処理装置
２１  軟質ウレタン
２２  エアパージ装置
【図１】
2010051970.tif 000003
【図２】
2010051970.tif 000004